(57)【要約】【課題】番組を受信する２種類の構成要素を備える構成において、実行する必要がある処理を迅速に実行することが可能なテレビジョン受信機を提供する。【解決手段】テレビジョン受信機１００は、番組を受信するチューナ部１０２ａ，１０２ｂを備える。制御部１１６ａは、チューナ部１０２ａを制御する。制御部１１６ｂは、チューナ部１０２ｂを制御する。テレビジョン受信機１００は、受信したキーコードに関連付けられた関連付け処理が、制御部１１６ａおよび制御部１１６ｂのいずれが実行するための処理、または、制御部１１６ａおよび制御部１１６ｂの両方が実行するための処理であるか判定する。【選択図】図１
2014204219.tif 000002
【特許請求の範囲】
【請求項１】
テレビジョン受信機であって、
使用者による、前記テレビジョン受信機に処理を実行させるための指示である操作指示を受信する操作指示受信部と、
映像である番組を受信する第１および第２の番組受信部と、
前記第１の番組受信部を制御する第１の制御部と、
前記第２の番組受信部を制御する第２の制御部と、
前記第２の番組受信部が受信した前記番組を録画する機能と、録画された該番組を再生する機能とを有する録画再生部と、
前記番組を表示する表示部と、を備え、
前記テレビジョン受信機は、前記操作指示に関連付けられた処理である特定処理が、前記第１の制御部および前記第２の制御部のいずれが実行するための処理、または、前記第１の制御部および前記第２の制御部の両方が実行するための処理であるか判定する
テレビジョン受信機。
【請求項２】
前記第１の制御部は、前記操作指示を受信し、該操作指示に関連付けられた前記特定処理が、該第１の制御部および前記第２の制御部のいずれが実行するための処理であるか判定する判定処理を行い、
前記第１の制御部は、
（ａ）前記操作指示に関連付けられた前記特定処理が、該第１の制御部が実行するための処理である場合、該特定処理を実行し、
（ｂ）前記特定処理が、前記第２の制御部が実行するための処理である場合、前記操作指示を前記第２の制御部へ送信し、
前記第２の制御部は、前記操作指示の受信に応じて、前記特定処理を実行する
請求項１に記載のテレビジョン受信機。
【請求項３】
前記第１の制御部は、複数種類の動作モードのいずれかで動作し、
前記第１の制御部は、前記操作指示と前記第１の制御部の前記動作モードとに基づいて、前記判定処理を行う
請求項２に記載のテレビジョン受信機。
【請求項４】
前記第２の制御部は、前記操作指示を受信し、該操作指示に関連付けられた前記特定処理が、前記第１の制御部および前記第２の制御部のいずれが実行するための処理であるか判定する判定処理を行い、
前記第２の制御部は、
（ｃ）前記操作指示に関連付けられた前記特定処理が、該第２の制御部が実行するための処理である場合、該特定処理を実行し、
（ｄ）前記特定処理が、前記第１の制御部が実行するための処理である場合、前記操作指示を前記第１の制御部へ送信し、
前記第１の制御部は、前記操作指示の受信に応じて、前記特定処理を実行する
請求項１に記載のテレビジョン受信機。
【請求項５】
前記第２の制御部は、複数種類の動作モードのいずれかで動作し、
前記第２の制御部は、前記操作指示と前記第２の制御部の前記動作モードとに基づいて、前記判定処理を行う
請求項４に記載のテレビジョン受信機。
【請求項６】
前記複数種類の動作モードは、マスターモードとスレーブモードとを含み、
前記マスターモードにおいて行われる処理の量は、前記スレーブモードにおいて行われる処理の量より多い、
請求項３または５に記載のテレビジョン受信機。
【請求項７】
前記操作指示受信部は、前記テレビジョン受信機の外部の操作指示送信部から、前記操作指示を受信する
請求項１〜６のいずれか１項に記載のテレビジョン受信機。
【請求項８】
前記操作指示送信部には、該操作指示送信部が前記操作指示を送信するためのキーが設けられている
請求項７に記載のテレビジョン受信機。
【発明の詳細な説明】
【技術分野】
【０００１】
本発明は、複数のチューナを備えるテレビジョン受信機に関する。
【背景技術】
【０００２】
従来のテレビジョン受信機においては、視聴用チューナ、録画用チューナといった２種類のチューナを内蔵するものがある。
【０００３】
特許文献１では、２種類のチューナを利用した技術（以下、関連技術Ａともいう）が開示されている。関連技術Ａでは、あるチャンネルの番組を録画中であっても、別のチャンネルの番組を視聴可能とするための処理が行われる。
【先行技術文献】
【特許文献】
【０００４】
【特許文献１】特許第４３６６６７８号公報（図１）
【発明の概要】
【発明が解決しようとする課題】
【０００５】
しかしながら、関連技術Ａでは、以下のような問題点がある。具体的には、関連技術Ａでは、表示部に表示するための番組を受信するチューナの制御と、録画するための番組を受信するチューナの制御とを、１つの制御部が行っていた。
【０００６】
そのため、番組の表示のための表示処理と、番組を録画するための録画処理とが同時に行われている場合、当該１つの制御部が、当該表示処理と当該録画処理とを並行して実行する必要がある。したがって、当該１つの制御部の処理負荷は大きくなる。当該１つの制御部の処理負荷は大きい状態で、当該１つの制御部に、さらに、別の処理を実行させる場合、当該１つの制御部が当該別の処理を迅速に実行できないという問題がある。
【０００７】
本発明は、このような問題を解決するためになされたものであり、番組を受信する２種類の構成要素を備える構成において、実行する必要がある処理を迅速に実行することが可能なテレビジョン受信機を提供することを目的とする。
【課題を解決するための手段】
【０００８】
上記目的を達成するために、本発明の一態様に係るテレビジョン受信機は、使用者による、前記テレビジョン受信機に処理を実行させるための指示である操作指示を受信する操作指示受信部と、映像である番組を受信する第１および第２の番組受信部と、前記第１の番組受信部を制御する第１の制御部と、前記第２の番組受信部を制御する第２の制御部と、前記第２の番組受信部が受信した前記番組を録画する機能と、録画された該番組を再生する機能とを有する録画再生部と、前記番組を表示する表示部と、を備え、前記テレビジョン受信機は、前記操作指示に関連付けられた処理である特定処理が、前記第１の制御部および前記第２の制御部のいずれが実行するための処理、または、前記第１の制御部および前記第２の制御部の両方が実行するための処理であるか判定する。
【発明の効果】
【０００９】
本発明によれば、テレビジョン受信機は、映像である番組を受信する第１および第２の番組受信部を備える。第１の制御部は、前記第１の番組受信部を制御する。第２の制御部は、前記第２の番組受信部を制御する。テレビジョン受信機は、前記操作指示に関連付けられた処理である特定処理が、前記第１の制御部および前記第２の制御部のいずれが実行するための処理、または、前記第１の制御部および前記第２の制御部の両方が実行するための処理であるか判定する。
【００１０】
すなわち、番組を受信する第１の番組受信部および第２の番組受信部を、それぞれ、第１の制御部および第２の制御部が制御する。そのため、１つの制御部が２つの第１および第２の番組受信部を制御する従来の構成よりも、第１の制御部および第２の制御部の処理負荷を低減することができる。
【００１１】
その結果、前記特定処理が、前記第１の制御部および前記第２の制御部のいずれが実行するための処理、または、前記第１の制御部および前記第２の制御部の両方が実行するための処理であるか判定されても、前記第１の制御部および前記第２の制御部の少なくとも一方は、当該特定処理を、迅速に実行することができる。すなわち、番組を受信する２種類の構成要素を備える構成において、実行する必要がある処理を迅速に実行することができる。
【図面の簡単な説明】
【００１２】
【図１】本発明の実施の形態１に係るテレビジョン受信機の構成を示すブロック図である。
【図２】本発明の実施の形態１に係る操作指示送信部の一例を示す図である。
【図３】録画番組一覧画像の一例を示す図である。
【図４】２種類の制御部の動作を説明するためのフローチャートである。
【図５】制御部の動作モードの遷移図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
＜実施の形態１＞
図１は、本発明の実施の形態１に係るテレビジョン受信機１００の構成を示すブロック図である。なお、図１では、説明のために、テレビジョン受信機１００に含まれない操作指示送信部２００も示してしる。操作指示送信部２００は、使用者（ユーザー）により操作される装置である。操作指示送信部２００は、例えば、リモコン、赤外線送信機等である。
【００１５】
なお、本明細書において、番組とは、映像で表現される映像コンテンツであるとする。当該番組は、例えば、デジタル放送の規格に従った番組である。
【００１６】
図１を参照して、テレビジョン受信機１００は、アンテナ１０１と、チューナ部１０２ａ，１０２ｂと、ＴＳ（Transport Stream）デコーダ１０４ａ，１０４ｂと、ＡＶ（Audio Video）デコーダ１０６ａと、ＡＶ切替部１０８と、グラフィックス重畳部１１０ａ，１１０ｂと、ＡＶ制御部１１１と、効果音重畳部１１３ａ，１１３ｂと、表示部１１４と、音声出力部１１５と、制御部１１６ａ，１１６ｂと、ＲＯＭ（Read Only Memory）１１７ａ，１１７ｂと、ＲＡＭ（Random Access Memory）１１８ａ，１１８ｂと、バス１１９ａ，１１９ｂと、録画再生部１５０と、通信インターフェイス１３６ａ，１３６ｂと、操作指示受信部１４０とを備える。
【００１７】
アンテナ１０１は、放送波としてのＲＦ（Radio Frequency）信号を受信する。ＲＦ信号は、複数のチャンネルの番組を示すＴＳを含む。すなわち、ＲＦ信号は、映像（映像コンテンツ）である番組を含む。アンテナ１０１は、チューナ部１０２ａ，１０２ｂに接続される。
【００１８】
チューナ部１０２ａ、ＴＳデコーダ１０４ａ、ＡＶデコーダ１０６ａ、ＡＶ切替部１０８、グラフィックス重畳部１１０ａ、効果音重畳部１１３ａおよびＡＶ制御部１１１の各々は、バス１１９ａを介して、制御部１１６ａにより制御可能に構成されている。例えば、制御部１１６ａは、チューナ部１０２ａを制御する。
【００１９】
チューナ部１０２ａは、アンテナ１０１から、番組を含むＲＦ信号を受信する。すなわち、チューナ部１０２ａは、番組を受信する番組受信部である。そして、チューナ部１０２ａは、ＲＦ信号に対し、任意の放送電波周波数に対する同調処理、復調処理等を行うことにより、当該ＲＦ信号からＴＳ（Transport Stream）を抽出する。そして、チューナ部１０２ａは、抽出したＴＳを、ＴＳデコーダ１０４ａへ送信する。当該ＴＳは、受信に必要な情報を示すパーシャルＴＳを含む。パーシャルＴＳは、特定のチャンネルの番組を含む。
【００２０】
ＴＳデコーダ１０４ａは、受信したＴＳからパーシャルＴＳを抽出し、当該パーシャルＴＳを、視聴用のパーシャルＴＳとして、ＡＶデコーダ１０６ａへ送信する。
【００２１】
ＡＶデコーダ１０６ａは、パーシャルＴＳをデコードすることにより、ＡＶ信号ＳＧ１を得る。ＡＶ信号ＳＧ１は、映像信号と、音声信号とを含む。そして、ＡＶデコーダ１０６ａは、ＡＶ信号ＳＧ１をＡＶ切替部１０８へ送信する。
【００２２】
ＡＶ切替部１０８は、制御部１１６ａによる制御に従い、ＡＶ信号ＳＧ１、および、後述のＡＶ信号ＳＧ２のいずれかを選択する。ＡＶ信号ＳＧ１を選択した場合、ＡＶ切替部１０８は、ＡＶ信号ＳＧ１に含まれる映像信号を、映像信号ＳＧＶとして、グラフィックス重畳部１１０ａへ送信する。また、ＡＶ切替部１０８は、ＡＶ信号ＳＧ１に含まれる音声信号を、音声信号ＳＧＡとして、効果音重畳部１１３ａへ送信する。
【００２３】
グラフィックス重畳部１１０ａは、必要に応じて、映像信号ＳＧＶが示す映像に、例えば、グラフィックス画像を重畳（オーバーレイ）する。そして、グラフィックス重畳部１１０ａは、重畳された映像を示す映像信号を、ＡＶ制御部１１１へ送信する。なお、グラフィックス重畳部１１０ａは、映像信号ＳＧＶを、そのまま、ＡＶ制御部１１１へ送信する場合もある。
【００２４】
効果音重畳部１１３ａは、必要に応じて、音声信号ＳＧＡが示す音声に、所定の効果音を合成し、合成された音声を示す音声信号を、ＡＶ制御部１１１へ送信する。なお、効果音重畳部１１３ａは、音声信号ＳＧＡを、そのまま、ＡＶ制御部１１１へ送信する場合もある。
【００２５】
表示部１１４は、番組（映像）を表示する機能を有する。表示部１１４は、例えば、液晶パネルである。音声出力部１１５は、スピーカーである。
【００２６】
ＡＶ制御部１１１は、受信した映像信号に基づく映像を表示部１１４に表示させる制御と、受信した音声信号に基づく音声を音声出力部１１５から出力させる制御とを行う。
【００２７】
制御部１１６ａ，１１６ｂの各々は、マイクロコンピュータ（マイコン）である。すなわち、テレビジョン受信機１００は、独立した２つのマイコンを備える。制御部１１６ａ，１１６ｂの各々は、複数種類の動作モードのいずれかで動作する。当該複数種類の動作モードは、マスターモードと、スレーブモードと、スリープモードとを含む。テレビジョン受信機１００の電源がオンの場合、制御部１１６ａ，１１６ｂの各々は、互いに異なる動作モードで動作する。なお、テレビジョン受信機１００の電源がオフの場合、制御部１１６ａ，１１６ｂの各々の動作モードは、スリープモードである。
【００２８】
例えば、テレビジョン受信機１００の電源がオンであり、かつ、制御部１１６ａの動作モードがマスターモードである場合、制御部１１６ｂの動作モードは、スレーブモードである。なお、マスターモードの制御部は、スレーブモードの制御部より、実行する処理の量が多い。すなわち、マスターモードにおいて行われる処理の量は、スレーブモードにおいて行われる処理の量より多い。例えば、マスターモードの制御部１１６ａが行う処理の量は、スレーブモードの制御部１１６ｂが行う処理の量より多い。
【００２９】
なお、マスターモードの制御部は、スレーブモードの制御部より、実行する処理の量が多くなくてもよい。例えば、マスターモードの制御部が実行する処理の量は、スレーブモードの制御部が実行する処理の量と同等であってもよい。
【００３０】
なお、スリープモードの制御部は、例えば、処理の実行を停止した状態を維持する。
【００３１】
ＲＯＭ１１７ａ，１１７ｂの各々は、プログラムを格納する。
【００３２】
制御部１１６ａは、ＲＯＭ１１７ａのプログラムに従って各種処理を行う。また、制御部１１６ａは、ＲＡＭ１１８ａを、ワーク領域として使用する。制御部１１６ａは、リアルタイムでの番組の視聴（表示）に関連する処理を主に実行する。制御部１１６ａは、例えば、テレビジョン受信機１００が受信した番組を、リアルタイムで表示するための処理（以下、リアルタイム表示処理ともいう）等を主に実行する。
【００３３】
チューナ部１０２ｂ、ＴＳデコーダ１０４ｂ、後述のストリーム制御部１２４、後述のＡＶデコーダ１０６ｂ、グラフィックス重畳部１１０ｂおよび効果音重畳部１１３ｂの各々は、バス１１９ｂを介して、制御部１１６ｂにより制御可能に構成されている。例えば、制御部１１６ｂは、チューナ部１０２ｂを制御する。
【００３４】
チューナ部１０２ｂは、チューナ部１０２ａと同様な処理を行う。すなわち、チューナ部１０２ｂは、アンテナ１０１から、番組を含むＲＦ信号を受信する。すなわち、チューナ部１０２ｂは、番組を受信する番組受信部である。そして、チューナ部１０２ｂは、ＲＦ信号に対し、任意の放送電波周波数に対する同調処理、復調処理等を行うことにより、当該ＲＦ信号からＴＳを抽出する。そして、チューナ部１０２ｂは、抽出したＴＳを、ＴＳデコーダ１０４ｂへ送信する。
【００３５】
ＴＳデコーダ１０４ｂは、ＴＳデコーダ１０４ａと同様な処理を行う。すなわち、ＴＳデコーダ１０４ｂは、受信したＴＳからパーシャルＴＳを抽出し、当該パーシャルＴＳを、録画再生部１５０へ送信する。当該パーシャルＴＳは、例えば、録画に必要な情報を示す。
【００３６】
録画再生部１５０は、要約すれば、番組受信部としてのチューナ部１０２ｂが受信した番組を録画する機能と、録画された該番組を再生する機能とを有する。録画再生部１５０は、ストリーム制御部１２４と、ストリーム蓄積部１２５と、ＡＶデコーダ１０６ｂとを含む。
【００３７】
ストリーム蓄積部１２５は、ＨＤＤ（Hard Disk Drive）等の記録媒体である。ストリーム制御部１２４は、特定のチャンネルの番組を含むパーシャルＴＳを、ストリーム蓄積部１２５に記録する。これにより、録画再生部１５０は、番組を録画する。
【００３８】
また、ストリーム制御部１２４は、制御部１１６ｂによる制御に従って、ストリーム蓄積部１２５から番組（パーシャルＴＳ）を読み出す。
【００３９】
また、ストリーム制御部１２４は、制御部１１６ｂによる制御に従って、ＴＳデコーダ１０４ｂから受信したパーシャルＴＳ、および、ストリーム蓄積部１２５から読み出したパーシャルＴＳを選択的に、ＡＶデコーダ１０６ｂへ送信する。
【００４０】
ＡＶデコーダ１０６ｂは、ＡＶデコーダ１０６ａと同様な処理を行う。具体的には、ＡＶデコーダ１０６ｂは、パーシャルＴＳをデコードすることにより、映像信号と音声信号とを含むＡＶ信号を得る。そして、ＡＶデコーダ１０６ｂは、映像信号を、グラフィックス重畳部１１０ｂへ送信する。また、ＡＶデコーダ１０６ｂは、音声信号を、効果音重畳部１１３ｂへ送信する。
【００４１】
グラフィックス重畳部１１０ｂは、必要に応じて、受信した映像信号が示す映像に、例えば、グラフィックス画像を重畳する。そして、グラフィックス重畳部１１０ｂは、重畳された映像を示す映像信号を、再生用の映像信号ＰＶ２として、ＡＶ切替部１０８へ送信する。なお、グラフィックス重畳部１１０ｂは、受信した映像信号を、映像信号ＰＶ２として、ＡＶ切替部１０８へ送信する場合もある。
【００４２】
効果音重畳部１１３ｂは、必要に応じて、受信した音声信号が示す音声に、所定の効果音を合成し、合成された音声を示す音声信号を、再生用の音声信号ＰＡ２として、ＡＶ切替部１０８へ送信する。なお、効果音重畳部１１３ｂは、受信した音声信号を、音声信号ＰＡ２として、ＡＶ制御部１１１へ送信する場合もある。以下においては、映像信号ＰＶ２と音声信号ＰＡ２とから構成されるＡＶ信号を、ＡＶ信号ＳＧ２とも表記する。
【００４３】
ＡＶ切替部１０８は、制御部１１６ａによる制御に従い、ＡＶ信号ＳＧ１およびＡＶ信号ＳＧ２のうち、ＡＶ信号ＳＧ２を選択した場合、映像信号ＰＶ２を、映像信号ＳＧＶとして、グラフィックス重畳部１１０ａへ送信するとともに、音声信号ＰＡ２を、音声信号ＳＧＡとして、効果音重畳部１１３ａへ送信する。
【００４４】
制御部１１６ｂは、制御部１１６ａと同様な処理を行う。具体的には、制御部１１６ｂは、ＲＯＭ１１７ｂのプログラムに従って各種処理を行う。また、制御部１１６ｂは、ＲＡＭ１１８ｂを、ワーク領域として使用する。制御部１１６ｂは、録画、再生に関連する処理（以下、録画再生関連処理ともいう）を主に実行する。制御部１１６ｂは、例えば、番組を録画するための処理、録画された番組を再生するための処理等を主に実行する。
【００４５】
制御部１１６ａと制御部１１６ｂとは、通信インターフェイス１３６ａ，１３６ｂを介して、通信可能に構成される。なお、制御部１１６ａと制御部１１６ｂとは、シリアル通信等により、直接通信可能なように構成されてもよい。
【００４６】
操作指示送信部２００は、使用者による操作により、無線通信を使用して、操作指示としてのキーコードを送信する。すなわち、キーコードは、使用者による指示（以下、操作指示ともいう）である。当該キーコード（操作指示）は、使用者による指示であって、かつ、テレビジョン受信機１００に処理を実行させるための指示である。
【００４７】
操作指示受信部１４０は、バス１１９ａを介して、制御部１１６ａと通信可能に構成されている。操作指示受信部１４０は、操作指示送信部２００から送信されるキーコード（操作指示）を受信する。すなわち、操作指示受信部１４０は、テレビジョン受信機１００の外部の操作指示送信部２００から、キーコード（操作指示）を受信する。
【００４８】
図２は、本発明の実施の形態１に係る操作指示送信部２００の一例を示す図である。操作指示送信部２００は、例えば、リモコンであるとする。操作指示送信部２００には、該操作指示送信部２００がキーコード（操作指示）を送信するための複数のキーが設けられている。以下、操作指示送信部２００について具体的に説明する。
【００４９】
図２に示すように、操作指示送信部２００は、視聴用キー群２１０と、録画再生用キー群２２０と、共用キー群２３０とを含む。
【００５０】
視聴用キー群２１０は、詳細は後述するが、テレビジョン受信機１００により映像を、使用者が視聴するための各キーを含む。録画再生用キー群２２０は、詳細は後述するが、テレビジョン受信機１００に録画された番組の再生の際に使用する各キーを含む。以下においては、テレビジョン受信機１００において録画された番組を、録画番組ともいう。
【００５１】
共用キー群２３０は、詳細は後述するが、番組を視聴する場合、および、録画番組を再生する場合の両方において共通して使用される各キーを含む。操作指示送信部２００に含まれる各キーには、異なるキーコードが割当てられる。
【００５２】
操作指示送信部２００に設けられた各キーのいずれかを使用者が押下した場合、操作指示送信部２００に含まれる赤外線送信部（図示せず）は、キーコードを、操作指示受信部１４０へ送信する。当該キーコードは、押下されたキーを特定するためのコードである。
【００５３】
視聴用キー群２１０は、電源キー２１１、アップキー、ダウンキー、音量アップキー、音量ダウンキー、消音キー、画面表示キー等を含む。電源キー２１１は、テレビジョン受信機１００の電源をオンまたはオフするためのキーである。
【００５４】
アップキー、ダウンキーは、チャンネルを変更するためのキーである。音量アップキー、音量ダウンキーは、音声出力部１１５から出力される音声の大きさを調整するためのキーである。消音キーは、一時的に、音声出力部１１５から音声を出力させないようにするためのキーである。画面表示キーは、例えば、番組情報等を表示部１１４に表示させるためのキーである。番組情報は、例えば、番組の名称、番組に関する情報、番組のバナー等である。
【００５５】
録画再生用キー群２２０は、録画リストキー２２２、番組表キー、録画キー２２４、停止キー等を含む。録画リストキー２２２は、録画番組のタイトルの一覧等を表示部１１４に表示させるためのキーである。番組表キーは、録画予約などを設定するための電子番組表を表示部１１４に表示させるためのキーである。録画キー２２４は、表示部１１４が表示している番組を録画するためのキーである。表示部１１４が表示している番組とは、使用者が視聴している番組である。
【００５６】
共用キー群２３０は、放送選択キー、色キー、カーソルキー、決定キー、キャンセルキー、複数の数字キー２３２等を含む。
【００５７】
放送選択キーは、放送波の種別を選択するためのキーである。色キーは、例えば、デジタル放送のデータ放送などで使用するためのキーである。カーソルキー、決定キー、キャンセルキーは、例えば、メニュー、番組を選択するために使用されるキーである。数字キー２３２は、例えば、チャンネル番号を指定したり、文字入力の際に使用されるキーである。共用キー群２３０に含まれる前述の各キーは、番組視聴時おおび録画番組の再生時の両方において使用される。
【００５８】
以上のように、操作指示送信部２００は、複数のキーを含む。以下においては、視聴用キー群２１０に含まれるキーのキーコードを、視聴用キーコードともいう。また、以下においては、録画再生用キー群２２０に含まれるキーのキーコードを、録画再生用キーコードともいう。また、以下においては、共用キー群２３０に含まれるキーのキーコードを、共用キーコードともいう。
【００５９】
各キーのキーコードには、異なる処理が関連付けられる。以下においては、キーコードに関連付けられた処理を、関連付け処理ともいう。
【００６０】
視聴用キーコードに関連付けられた関連付け処理は、制御部１１６ａが実行する処理である。録画再生用キーコードに関連付けられた関連付け処理は、制御部１１６ｂが実行する処理である。共用キーコードに関連付けられた関連付け処理は、詳細は後述するが、制御部１１６ａ，１１６ｂの状況に応じて、制御部１１６ａまたは制御部１１６ｂが実行する処理である。すなわち、共用キーコードには、制御部１１６ａに実行させる処理と、制御部１１６ｂに実行させる処理とが関連づけられる。
【００６１】
次に、テレビジョン受信機１００の動作について説明する。
【００６２】
（番組視聴開始時）
まず、テレビジョン受信機１００を使用して、例えば、デジタル放送の番組の視聴が開始される場合について説明する。この場合、まず、使用者は、操作指示送信部２００の電源キー２１１を押下する。これにより、操作指示送信部２００は、電源キー２１１に割当てられたキーコードを、テレビジョン受信機１００へ送信する。操作指示受信部１４０は、操作指示送信部２００から送信されたキーコードを受信すると、当該キーコードを、制御部１１６ａへ送信する。
【００６３】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【００６４】
制御部１１６ａは、受信したキーコードが、視聴用キーコードであると判定した場合、当該キーコードに関連付けられた関連付け処理を実行する。
【００６５】
当該関連付け処理では、例えば、制御部１１６ａは、チューナ部１０２ａが、任意のチャンネル周波数に同調し、復調処理を行うように、チューナ部１０２ａを制御する。任意のチャンネル周波数とは、例えば、前回の視聴の最後に選択されていたチャンネルの周波数である。
【００６６】
復調処理が完了すると、制御部１１６ａは、ＴＳデコーダ１０４ａが処理対象のＴＳから、ＰＳＩ（Program Specific Information）を抽出して解析する。ＰＳＩとは、番組を特定するための情報である。
【００６７】
そして、制御部１１６ａは、ＴＳデコーダ１０４ａが、ＰＳＩにより特定された番組の映像信号および音声信号を示すデータパケットをフィルタリングして、視聴用のパーシャルＴＳを生成するよう、ＴＳデコーダ１０４ａを制御する。そして、ＴＳデコーダ１０４ａは、制御部１１６ａの制御に従い、生成したパーシャルＴＳをＡＶデコーダ１０６ａへ送信する。
【００６８】
また、制御部１１６ａは、ＴＳデコーダ１０４ａが処理対象のＴＳから、ＳＩ（Service Information）を抽出し、解析を行う。ＳＩは、番組名の表示、番組名の配列などに使用される情報である。
【００６９】
次に、制御部１１６ａは、ＡＶデコーダ１０６ａが、パーシャルＴＳからＡＶ信号ＳＧ１を生成するように、ＡＶデコーダ１０６ａを制御する。ここで、パーシャルＴＳには、デジタル放送の映像信号および音声信号が含まれる。
【００７０】
デジタル放送の映像音声は、例えば、ＭＰＥＧ（Moving Pictures Experts Group）２方式により圧縮されている。また、デジタル放送の音声信号は、ＡＡＣ（Advanced Audio Coding）方式により圧縮されている。そのため、ＡＶデコーダ１０６ａは、該ＡＶデコーダ１０６ａに内蔵されたＭＰＥＧ２デコーダおよびＡＡＣデコーダを使用して、パーシャルＴＳに含まれる映像信号および音声信号を、非圧縮の映像信号および音声信号に復号する。ＡＶデコーダ１０６ａは、制御部１１６ａの制御に従い、復号した映像信号および音声信号から構成されるＡＶ信号ＳＧ１を、ＡＶ切替部１０８へ送信する。
【００７１】
ここで、一例として、テレビジョン受信機１００が、リアルタイム表示処理（例えば、デジタル放送の番組の表示）を主に実行しているとする。この場合、ＡＶ切替部１０８は、ＡＶ信号ＳＧ１に含まれる映像信号を、映像信号ＳＧＶとして、グラフィックス重畳部１１０ａへ送信する。また、ＡＶ切替部１０８は、ＡＶ信号ＳＧ１に含まれる音声信号を、音声信号ＳＧＡとして、効果音重畳部１１３ａへ送信する。
【００７２】
次に、制御部１１６ａは、グラフィックス重畳部１１０ａが、映像信号ＳＧＶが示す映像に、グラフィックス画像（例えば、番組バナー）を重畳するよう、グラフィックス重畳部１１０ａを制御する。グラフィックス重畳部１１０ａは、制御部１１６ａの制御に従い、重畳された映像を示す映像信号を、ＡＶ制御部１１１へ送信する。
【００７３】
また、制御部１１６ａは、効果音重畳部１１３ａが音声信号ＳＧＡが示す音声に、所定の効果音（例えば、ビープ音）を合成するよう、効果音重畳部１１３ａを制御する。効果音重畳部１１３ａは、制御部１１６ａの制御に従い、合成された音声を示す音声信号を、ＡＶ制御部１１１へ送信する。
【００７４】
また、制御部１１６ａは、ＡＶ制御部１１１が、受信した映像信号に基づく映像を表示部１１４が表示するための映像駆動信号を生成するように、ＡＶ制御部１１１を制御する。ＡＶ制御部１１１は、制御部１１６ａの制御に従い、映像駆動信号を、表示部１１４へ送信する。表示部１１４は、映像駆動信号に基づく映像（番組）を表示する。
【００７５】
また、制御部１１６ａは、ＡＶ制御部１１１が、受信した音声信号に基づく音声を、音声出力部１１５が出力するための音声駆動信号を生成するように、ＡＶ制御部１１１を制御する。ＡＶ制御部１１１は、制御部１１６ａの制御に従い、音声駆動信号を、音声出力部１１５へ送信する。音声出力部１１５は、音声駆動信号に基づく音声を出力する。
【００７６】
以上により、テレビジョン受信機１００は、使用者に対し、任意のチャンネルで現在放送されている番組の映像および音声を提示する。
【００７７】
任意のチャンネルの番組の視聴（表示）が開始されると、制御部１１６ａは、表示中の番組（映像）のチャンネルに対応する周波数を示すチャンネル情報を、通信インターフェイス１３６ａ，１３６ｂを介して、制御部１１６ｂへ送信する。例えば、制御部１１６ａは、通信インターフェイス１３６ａがチャンネル情報を通信インターフェイス１３６ｂへ送信するよう、通信インターフェイス１３６ａを制御する。通信インターフェイス１３６ｂは、受信したチャンネル情報を、制御部１１６ｂへ送信する。
【００７８】
チャンネル情報を受信した制御部１１６ｂは、チューナ部１０２ｂが、当該チャンネル情報が示す周波数と同じ周波数に同調し、復調処理を行うように、チューナ部１０２ｂを制御する。
【００７９】
復調処理が完了すると、制御部１１６ｂは、ＴＳデコーダ１０４ｂが処理対象のＴＳから、ＰＳＩを抽出して解析する。そして、制御部１１６ｂは、ＴＳデコーダ１０４ｂが、ＰＳＩにより特定された番組の映像信号および音声信号を示すデータパケットをフィルタリングして、録画用のパーシャルＴＳを生成するよう、ＴＳデコーダ１０４ｂを制御する。そして、ＴＳデコーダ１０４ｂは、制御部１１６ｂの制御に従い、生成したパーシャルＴＳをストリーム制御部１２４へ送信する。
【００８０】
以上の動作により、ストリーム制御部１２４は、使用者が視聴している番組と同じ番組を示す、録画用のパーシャルＴＳを受信する。
【００８１】
また、制御部１１６ｂは、制御部１１６ａと同様に、ＴＳデコーダ１０４ｂが処理対象のＴＳから、ＳＩを抽出し、解析を行う。ＳＩは、番組名の表示、番組名の配列などに使用される情報である。
【００８２】
このように、使用者が視聴している番組に関連する情報を常に取得しておくことで、後述する、番組の録画の処理、電子番組表の表示動作などの処理時間を短縮することができる。
【００８３】
（番組視聴中の番組の録画）
次に、現在、表示部１１４が表示している番組と同じ番組を録画する場合の処理について説明する。
【００８４】
まず、使用者は、操作指示送信部２００の録画キー２２４を押下する。これにより、操作指示送信部２００は、録画キー２２４に割当てられたキーコードを、テレビジョン受信機１００へ送信する。操作指示受信部１４０は、操作指示送信部２００から送信されたキーコードを受信すると、当該キーコードを、制御部１１６ａへ送信する。以下においては、録画キー２２４を、単に、録画キーともいう。
【００８５】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【００８６】
制御部１１６ａは、受信したキーコードが、録画再生用キーコードであると判定した場合、当該キーコード（録画キーのキーコード）に関連付けられた関連付け処理を制御部１１６ｂに実行させるための処理を行う。以下においては、録画キーのキーコードに関連付けられた関連付け処理を、録画処理ともいう。具体的には、制御部１１６ａは、受信したキーコードを示すキーコード情報を、通信インターフェイス１３６ａ，１３６ｂを介して、制御部１１６ｂへ送信する。
【００８７】
キーコード情報を受信した制御部１１６ｂは、当該キーコード情報が示すキーコードに関連付けられた関連付け処理を実行する。ここで、キーコード情報が示すキーコードは、録画キーのキーコードである。この場合、制御部１１６ｂは、関連付け処理として、番組を録画するための録画処理を行う。
【００８８】
ストリーム制御部１２４は、現在、使用者が視聴している番組と同じ番組を示すパーシャルＴＳを受信している。そのため、録画処理では、制御部１１６ｂは、ストリーム制御部１２４が、パーシャルＴＳをストリーム蓄積部１２５に記録するように、ストリーム制御部１２４を制御する。
【００８９】
以上の動作により、使用者が視聴している番組と同じ番組がストリーム蓄積部１２５に録画される。
【００９０】
次に、番組の録画を停止させるための処理について説明する。
【００９１】
まず、使用者は、操作指示送信部２００の停止キーを押下する。これにより、操作指示送信部２００は、停止キーのキーコードを、テレビジョン受信機１００へ送信する。操作指示受信部１４０は、操作指示送信部２００から送信されたキーコードを受信すると、当該キーコードを、制御部１１６ａへ送信する。
【００９２】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【００９３】
制御部１１６ａは、受信したキーコードが、録画再生用キーコードであると判定した場合、当該キーコード（停止キーのキーコード）に関連付けられた関連付け処理を制御部１１６ｂに実行させるための処理を行う。
【００９４】
具体的には、制御部１１６ａは、受信したキーコードを示すキーコード情報を、通信インターフェイス１３６ａ，１３６ｂを介して、制御部１１６ｂへ送信する。
【００９５】
キーコード情報を受信した制御部１１６ｂは、当該キーコード情報が示すキーコードに関連付けられた関連付け処理を実行する。ここで、キーコード情報が示すキーコードは、停止キーのキーコードである。この場合、制御部１１６ｂは、関連付け処理として、番組の録画を停止するための停止処理を行う。
【００９６】
停止処理では、制御部１１６ｂは、ストリーム制御部１２４が、パーシャルＴＳをストリーム蓄積部１２５に記録させる処理を停止するように、ストリーム制御部１２４を制御する。また、ストリーム制御部１２４は、制御部１１６ｂの制御に従い、録画した番組データのアドレスおよび番組情報を、ストリーム蓄積部１２５に記録する。当該番組情報は、番組名等を示す情報である。
【００９７】
以上の動作により、使用者が視聴していた番組と同じ番組と、当該番組の番組情報が、ストリーム蓄積部１２５に記録される。
【００９８】
（番組視聴中のチャンネル選局）
次に、番組が表示されている期間に、別のチャンネルを選局するための処理について説明する。
【００９９】
まず、使用者は、操作指示送信部２００における１つの数字キー２３２を押下する。これにより、操作指示送信部２００は、数字キー２３２に割当てられたキーコードを、テレビジョン受信機１００へ送信する。操作指示受信部１４０は、操作指示送信部２００から送信されたキーコードを受信すると、当該キーコードを、制御部１１６ａへ送信する。以下においては、数字キー２３２を、単に、数字キーともいう。
【０１００】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【０１０１】
制御部１１６ａは、受信したキーコードが、共用キーコードであると判定した場合、当該キーコード（数字キーのキーコード）に関連付けられた関連付け処理を、制御部１１６ａ，１１６ｂのいずれで実行するかを判定する。本実施の形態では、一例として、制御部１１６ａ，１１６ｂの各々の動作モードに基づいて、判定が行われる。
【０１０２】
例えば、テレビジョン受信機１００において、チューナ部１０２ａが受信した番組が表示されているとする。すなわち、使用者が、番組を視聴しているとする。この場合、制御部１１６ａの動作モードは、マスターモードであり、制御部１１６ｂの動作モードは、スレーブモードである。この場合、数字キーのキーコードに関連付けられた関連付け処理として、選局処理が実行されることが望ましい。
【０１０３】
また、テレビジョン受信機１００において、録画番組の再生が行われているとする。この場合、制御部１１６ａの動作モードは、スレーブモードであり、制御部１１６ｂの動作モードは、マスターモードである。この場合、数字キーに対応する処理として、例えば、チャプタースキップ処理が実行されることが望ましい。チャプタースキップ処理は、例えば、録画番組に割当てられた複数のチャプターのうち、数字キーに対応するチャプターの位置から、録画番組を再生する処理である。
【０１０４】
本実施の形態では、制御部１１６ａの動作モードがマスターモードであるときに、受信したキーコードが、共用キーコードであると判定された場合、当該キーコードに関連付けられた関連付け処理は、制御部１１６ａが実行する処理であると判定（決定）する。ここで、制御部１１６ａが受信したキーコードは、数字キーのキーコードであるとする。
【０１０５】
この場合、制御部１１６ａは、チューナ部１０２ａが、受信したキーコードにより特定される数字キーに対応づけられたチャンネル周波数に同調し、復調処理を行うように、チューナ部１０２ａを制御する。なお、これ以降の動作は、前述した「番組視聴開始時」における処理と同様である。
【０１０６】
（番組視聴中の録画番組の再生）
次に、番組が表示されている期間に、録画番組を再生するための処理について説明する。
【０１０７】
まず、使用者は、操作指示送信部２００の録画リストキー２２２を押下する。これにより、操作指示送信部２００は、録画リストキー２２２に割当てられたキーコードを、テレビジョン受信機１００へ送信する。操作指示受信部１４０は、操作指示送信部２００から送信されたキーコードを受信すると、当該キーコードを、制御部１１６ａへ送信する。以下においては、録画リストキー２２２を、単に、録画リストキーともいう。
【０１０８】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【０１０９】
制御部１１６ａは、受信したキーコードが、録画再生用キーコードであると判定した場合、当該キーコード（録画リストキーのキーコード）に関連付けられた関連付け処理を制御部１１６ｂに実行させるための処理を行う。
【０１１０】
具体的には、制御部１１６ａは、受信したキーコードを示すキーコード情報を、通信インターフェイス１３６ａ，１３６ｂを介して、制御部１１６ｂへ送信する。
【０１１１】
キーコード情報を受信した制御部１１６ｂは、当該キーコード情報が示すキーコードに関連付けられた関連付け処理を実行する。ここで、キーコード情報が示すキーコードは、録画リストキーのキーコードである。この場合、制御部１１６ｂは、録画番組一覧画像を表示するための一覧画像表示処理を行う。当該録画番組一覧画像は、録画番組の名称のリストを示す画像である。
【０１１２】
一覧画像表示処理では、制御部１１６ｂは、ストリーム制御部１２４を介して、ストリーム蓄積部１２５に記録されている番組情報を読み出し、当該番組情報が示す番組名のリストを示す録画番組一覧画像３００を生成する。
【０１１３】
図３は、録画番組一覧画像３００の一例を示す図である。図３において、録画番組一覧画像３００には、リスト画像３０１と、カーソル枠３０２とが配置される。
【０１１４】
リスト画像３０１は、複数の番組名を示す。当該番組名は、録画番組の名称である。なお、リスト画像３０１は、録画番組が録画された日付が、当該録画番組の番組名に対応づけて表示される。
【０１１５】
カーソル枠３０２は、操作指示送信部２００のカーソルキーの押下により移動可能な枠である。カーソル枠３０２は、複数の番組名のうちの１つの番組名と、当該１つの番組名に対応する日付とを囲むように配置される。
【０１１６】
再び、図１を参照して、制御部１１６ｂは、グラフィックス重畳部１１０ｂが、画像（例えば、録画番組一覧画像３００）を示す映像信号ＰＶ２を含むＡＶ信号ＳＧ２をＡＶ切替部１０８へ送信するよう、グラフィックス重畳部１１０ｂを制御する。
【０１１７】
なお、ＡＶ切替部１０８は、ＡＶデコーダ１０６ａから受信するＡＶ信号ＳＧ１、および、ＡＶ信号ＳＧ２のいずれかを選択するように構成されている。そこで、制御部１１６ｂは、切替え指示ＣＨ２を、通信インターフェイス１３６ｂ，１３６ａを介して、制御部１１６ａへ送信する。当該切替え指示ＣＨ２は、ＡＶ切替部１０８に、ＡＶ信号ＳＧ２を選択させる指示である。
【０１１８】
切替え指示ＣＨ２を受信した制御部１１６ａは、ＡＶ切替部１０８に、ＡＶ信号ＳＧ２を選択させるよう、ＡＶ切替部１０８を制御する。これにより、ＡＶ切替部１０８は、ＡＶ信号ＳＧ２を選択し、選択したＡＶ信号ＳＧ２に含まれる映像信号ＰＶ２を、映像信号ＳＧＶとして、グラフィックス重畳部１１０ａへ送信する。そして、グラフィックス重畳部１１０ａは、映像信号ＰＶ２が示す録画番組一覧画像３００を、表示部１１４に表示させるよう、ＡＶ制御部１１１を制御する。
【０１１９】
これにより、表示部１１４は、チューナ部１０２ａが受信していた番組の代わりに、録画番組一覧画像３００を表示する。すなわち、録画番組一覧画像３００が、使用者に提示される。
【０１２０】
なお、録画番組一覧画像３００が表示されるのと同時に、ＡＶ切替部１０８は、選択したＡＶ信号ＳＧ２に含まれる音声信号ＰＡ２を、音声信号ＳＧＡとして、効果音重畳部１１３ａへ送信するようにしてもよい。なお、ＡＶ切替部１０８が、音声信号ＳＧＡ（音声信号ＰＡ２）を送信する処理は、以下に記載する再生開始時に行われてもよい。
【０１２１】
次に、表示部１１４が、図３の録画番組一覧画像３００を表示している場合における処理について説明する。
【０１２２】
使用者は、操作指示送信部２００の共用キー群２３０に含まれる、カーソルキーおよび決定キー等を使用して、カーソル枠３０２を移動させることにより、再生を望む番組を選択する。
【０１２３】
使用者が、操作指示送信部２００の決定キーを押下することにより、操作指示送信部２００は、当該決定キーのキーコードを、テレビジョン受信機１００へ送信する。操作指示受信部１４０は、操作指示送信部２００から送信されたキーコードを受信すると、当該キーコードを、制御部１１６ａへ送信する。
【０１２４】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【０１２５】
制御部１１６ａは、受信したキーコードが、録画再生用キーコードであると判定した場合、当該キーコード（決定キーのキーコード）に関連付けられた関連付け処理を、制御部１１６ａ，１１６ｂの各々の動作モードに基づいて、制御部１１６ａ，１１６ｂのいずれで実行するかを判定する。
【０１２６】
ここで、一例として、テレビジョン受信機１００が、リアルタイム表示処理（例えば、デジタル放送の番組の表示）を主に実行しているときに、制御部１１６ａが、決定キーのキーコードを受信したとする。この場合、当該決定キーによる指示（キーコード）は無視されることが望ましい。また、この場合、制御部１１６ａの動作モードは、マスターモードであり、制御部１１６ｂの動作モードは、スレーブモードである。
【０１２７】
ここで、テレビジョン受信機１００が、録画再生関連処理として、録画番組一覧画像３００を表示する処理を行っているときに、制御部１１６ａが、決定キーのキーコードを受信したとする。この場合、制御部１１６ａの動作モードは、スレーブモードであり、制御部１１６ｂの動作モードは、マスターモードである。また、この場合、当該決定キーによるキーコード（指示）は、番組を指定する番組指定指示として処理されることが望ましい。
【０１２８】
したがって、本実施の形態では、制御部１１６ａの動作モードがスレーブモードであり、かつ、制御部１１６ｂの動作モードがマスターモードであるときに、制御部１１６ａが、受信したキーコードが共用キーコードであると判定した場合、当該キーコードに関連付けられた関連付け処理を実行する制御部を、制御部１１６ｂと判定する。すなわち、当該キーコードに関連付けられた関連付け処理（キーイベント）は、制御部１１６ｂが実行する処理と判定される。
【０１２９】
この場合、制御部１１６ａは、受信したキーコードを示すキーコード情報を、通信インターフェイス１３６ａ，１３６ｂを介して、制御部１１６ｂへ送信する。
【０１３０】
キーコード情報を受信した制御部１１６ｂは、当該キーコード情報が示すキーコードに関連付けられた関連付け処理（キーイベント）を実行する。ここで、キーコード情報が示すキーコードは、決定キーのキーコードである。この場合、制御部１１６ｂは、リスト画像３０１が示す複数の番組名のうち、カーソル枠３０２により囲まれている番組名の番組（録画番組）を再生するための処理を行う。以下においては、カーソル枠３０２により囲まれている番組名の番組を、選択番組ともいう。
【０１３１】
具体的には、制御部１１６ｂは、ストリーム制御部１２４が、ストリーム蓄積部１２５から、選択番組（パーシャルＴＳ）を読み出すよう、ストリーム制御部１２４を制御する。ストリーム制御部１２４は、制御部１１６ｂの制御に従って、ストリーム蓄積部１２５から読み出したパーシャルＴＳを、ＡＶデコーダ１０６ｂへ送信する。
【０１３２】
次に、制御部１１６ｂは、ＡＶデコーダ１０６ｂが、パーシャルＴＳをデコードし、映像信号および音声信号を得るよう、ＡＶデコーダ１０６ｂを制御する。これにより、録画番組（選択番組）が再生される。以下においては、再生されている録画番組を、再生番組ともいう。
【０１３３】
そして、ＡＶデコーダ１０６ｂは、制御部１１６ｂの制御に従って、得られた映像信号をグラフィックス重畳部１１０ｂを介してＡＶ切替部１０８へ送信し、得られた音声信号を効果音重畳部１１３ｂを介してＡＶ切替部１０８へ送信する。そして、制御部１１６ｂは、前述と同様に、切替え指示ＣＨ２を、制御部１１６ａへ送信する。
【０１３４】
切替え指示ＣＨ２を受信した制御部１１６ａは、ＡＶ切替部１０８に、再生番組を示すＡＶ信号ＳＧ２を選択させるよう、ＡＶ切替部１０８を制御する。そして、制御部１１６ａは、表示部１１４が再生番組を表示し、音声出力部１１５が再生番組の音声を出力するよう、グラフィックス重畳部１１０ａ、効果音重畳部１１３ｂおよびＡＶ制御部１１１を制御する。これにより、表示部１１４は、録画番組一覧画像３００の代わりに再生番組を表示する。すなわち、再生番組が使用者に提示される。
【０１３５】
次に、前述の処理により録画番組が再生されている場合に、再生を停止させるための処理について説明する。
【０１３６】
まず、使用者は、操作指示送信部２００の停止キーを押下する。これにより、操作指示送信部２００は、停止キーに割当てられたキーコードを、テレビジョン受信機１００へ送信する。操作指示受信部１４０は、操作指示送信部２００から送信されたキーコードを受信すると、当該キーコードを、制御部１１６ａへ送信する。
【０１３７】
制御部１１６ａは、キーコードを受信した場合、判定処理を行う。判定処理では、制御部１１６ａが、受信したキーコードが、視聴用キーコード、録画再生用キーコードおよび共用キーコードのいずれであるか判定する。
【０１３８】
制御部１１６ａは、受信したキーコードが、録画再生用キーコードであると判定した場合、当該キーコード（停止キーのキーコード）に関連付けられた関連付け処理を制御部１１６ｂに実行させるための処理を行う。
【０１３９】
具体的には、制御部１１６ａは、受信したキーコードを示すキーコード情報を、通信インターフェイス１３６ａ，１３６ｂを介して、制御部１１６ｂへ送信する。
【０１４０】
キーコード情報を受信した制御部１１６ｂは、当該キーコード情報が示すキーコードに関連付けられた関連付け処理を実行する。ここで、キーコード情報が示すキーコードは、停止キーのキーコードである。この場合、制御部１１６ｂは、番組の再生を停止するための再生停止処理を行う。
【０１４１】
再生停止処理では、制御部１１６ｂは、ストリーム制御部１２４が、ストリーム蓄積部１２５から選択番組（パーシャルＴＳ）の読み出しを停止するよう、ストリーム制御部１２４を制御する。また、ＡＶデコーダ１０６ｂは、制御部１１６ｂの制御に従い、パーシャルＴＳ（映像、音声）のデコードも停止する。以上により、録画番組の再生が停止される。
【０１４２】
なお、録画番組の再生を停止しただけでは、表示部１１４および音声出力部１１５が何も出力しない状態となる。そこで、制御部１１６ｂは、切替え指示ＣＨ１を、通信インターフェイス１３６ｂ，１３６ａを介して、制御部１１６ａへ送信する。当該切替え指示１は、ＡＶ切替部１０８に、ＡＶ信号ＳＧ１を選択させる指示である。
【０１４３】
切替え指示ＣＨ１を受信した制御部１１６ａは、ＡＶ切替部１０８に、ＡＶ信号ＳＧ１を選択させるよう、ＡＶ切替部１０８を制御する。これにより、ＡＶ切替部１０８は、ＡＶ信号ＳＧ１を選択し、選択したＡＶ信号ＳＧ１に含まれる映像信号を、映像信号ＳＧＶとして、グラフィックス重畳部１１０ａへ送信する。また、ＡＶ切替部１０８は、選択したＡＶ信号ＳＧ１に含まれる音声信号を、音声信号ＳＧＡとして、グラフィックス重畳部１１０ａへ送信する。
【０１４４】
これにより、表示部１１４は、録画番組の再生が開始される直前に表示部１１４が表示していた番組を表示する。また、音声出力部１１５は、録画番組の再生が開始される直前に表示部１１４が表示していた番組の音声を出力する。すなわち、録画番組の再生が開始される直前に使用者が視聴していた番組が提示される。
【０１４５】
（制御部の動作）
次に、本実施の形態において、制御部１１６ａ，１１６ｂが行う処理について説明する。以下においては、制御部１１６ａ，１１６ｂの各々を、総括的に、制御部１１６とも表記する。また、以下においては、制御部１１６ａを、第１の制御部ともいう。また、以下においては、制御部１１６ｂを、第２の制御部ともいう。
【０１４６】
図４は、２種類の制御部１１６の動作を説明するためのフローチャートである。
【０１４７】
ここで、例えば、使用者が、操作指示送信部２００のキーを押下したとする。この場合、操作指示送信部２００は、押下されたキーのキーコードを、テレビジョン受信機１００へ送信する。前述したように、当該キーコードは、使用者による操作指示である。また、前述したように、当該キーコード（操作指示）は、使用者による、テレビジョン受信機１００に処理を実行させるための指示である。
【０１４８】
操作指示受信部１４０は、操作指示送信部２００から送信されたキーコード（操作指示）を受信する。そして、操作指示受信部１４０は、受信した当該キーコードを、制御部１１６ａへ送信する。
【０１４９】
そして、制御部１１６ａ（第１の制御部）は、キーコード（操作指示）を受信する（ステップＳ４１０）。これにより、制御部１１６ａは、使用者が操作指示送信部２００のキーを押下したことを検出する。以下においては、制御部１１６ａが、操作指示送信部２００から操作指示受信部１４０を介して受信したキーコードを、受信キーコードともいう。
【０１５０】
次に、ステップＳ４２０では、判定処理が行われる。判定処理では、制御部１１６ａは、受信キーコードの種類を判定する。具体的には、判定処理では、制御部１１６ａが、受信キーコードが、視聴用キーコード、録画再生用キーコードおよび共用キーコードのいずれであるか判定する。
【０１５１】
前述したように、各キーのキーコードには異なる処理が関連付けられる。視聴用キーコードに関連付けられた関連付け処理は、制御部１１６ａが実行する処理である。録画再生用キーコードに関連付けられた関連付け処理は、制御部１１６ｂが実行する処理である。共用キーコードに関連付けられた関連付け処理は、制御部１１６ａ，１１６ｂの動作モードに基づいて、制御部１１６ａまたは制御部１１６ｂが実行する処理である。
【０１５２】
すなわち、判定処理では、制御部１１６ａが、受信キーコード（操作指示）に関連付けられた関連付け処理が、制御部１１６ａおよび制御部１１６ｂのいずれが実行するための処理であるか判定する。
【０１５３】
受信キーコードが、視聴用キーコードである場合、処理は、ステップＳ４５０Ａに移行する。受信キーコードが視聴用キーコードである場合、操作指示（受信キーコード）に関連付けられた関連付け処理は、制御部１１６ａが実行するための処理である。
【０１５４】
ステップＳ４５０Ａでは、制御部１１６ａ（第１の制御部）が、受信したキーコードに関連付けられた関連付け処理を実行する。ここで、受信キーコードが、例えば、電源キーのキーコードであるとする。この場合、制御部１１６ａは、前述したように、チューナ部１０２ａを制御する。
【０１５５】
また、ステップＳ４２０において、受信キーコードが、録画再生用キーコードである場合、処理は、ステップＳ４２１に移行する。受信キーコードが録画再生用キーコードである場合、操作指示（受信キーコード）に関連付けられた関連付け処理は、制御部１１６ｂが実行するための処理である。
【０１５６】
ステップＳ４２１では、制御部１１６ａが、受信キーコード（操作指示）を、制御部１１６ｂへ転送（送信）する。具体的には、制御部１１６ａは、受信したキーコードを示すキーコード情報を、通信インターフェイス１３６ａ，１３６ｂを介して、制御部１１６ｂへ送信する。
【０１５７】
ステップＳ４５０Ｂでは、制御部１１６ｂ（第２の制御部）が、受信キーコードに関連付けられた関連付け処理を実行する。すなわち、制御部１１６ｂ（第２の制御部）は、操作指示（受信キーコード）の受信に応じて、受信キーコードに関連付けられた関連付け処理を実行する。
【０１５８】
ここで、受信したキーコードは、例えば、録画キーのキーコードであるとする。この場合、制御部１１６ｂは、前述したように、ストリーム制御部１２４が、パーシャルＴＳをストリーム蓄積部１２５に記録するように、ストリーム制御部１２４を制御する。
【０１５９】
一方、ステップＳ４２０において、受信キーコードが、共用キーコードであった場合、処理は、ステップＳ４３１へ移行する。
【０１６０】
ステップＳ４３１では、動作モード確認処理が行われる。動作モード確認処理では、制御部１１６ａは、当該制御部１１６ａの動作モードを確認する。
【０１６１】
ステップＳ４３２において、制御部１１６ａの動作モードがマスターモードである場合、処理は、ステップＳ４５０Ａに移行する。一方、制御部１１６ａの動作モードがスレーブモードである場合、処理は、ステップＳ４２１に移行する。
【０１６２】
ステップＳ４２０，Ｓ４３１，Ｓ４３２が順に行われることにより、制御部１１６ａは、操作指示（受信キーコード）と制御部１１６ａの動作モードとに基づいて、以下の判定処理Ａを行うことになる。判定処理Ａは、該操作指示に関連付けられた関連付け処理が、制御部１１６ａおよび制御部１１６ｂのいずれが実行するための処理であるか判定する処理である。
【０１６３】
次に、制御部１１６ａの動作モードの遷移について説明する。図５は、制御部１１６ａの動作モードの遷移図である。
【０１６４】
テレビジョン受信機１００の電源がオフの状態である場合、制御部１１６ａの動作モードは、スリープモードである。テレビジョン受信機１００の電源がオンされると、制御部１１６ａの動作モードは、スリープモードからマスターモードに遷移する。チャンネル切替、音量操作などの視聴関係の処理を行うだけの場合、制御部１１６ａの動作モードは、マスターモードを維持する。
【０１６５】
テレビジョン受信機１００において、録画番組一覧画像の表示を開始する処理、録画番組の再生する処理、電子番組表を表示して番組予約を開始する処理等が行われた場合、制御部１１６ａの動作モードは、マスターモードからスレーブモードに遷移する。録画番組一覧画像の表示中、録画番組の再生中、電子番組表の表示中は、制御部１１６ａの動作モードは、スレーブモードを維持する。
【０１６６】
録画番組一覧画像を消去する処理、録画番組の再生を終了する処理、電子番組表を消去する処理等が行われた場合、制御部１１６ａの動作モードは、スレーブモードからマスターモードに遷移する。このように、制御部１１６ａの動作モードは、視聴関係の処理の実行中はマスターモードであり、録画再生関係の処理の実行中はスレーブモードである。
【０１６７】
以上説明したように、本実施の形態に係るテレビジョン受信機１００は、映像（映像コンテンツ）である番組を受信するチューナ部１０２ａ，１０２ｂを備える。制御部１１６ａは、チューナ部１０２ａを制御する。制御部１１６ｂは、チューナ部１０２ｂを制御する。テレビジョン受信機１００は、受信した操作指示（受信キーコード）に関連付けられた関連付け処理が、制御部１１６ａおよび制御部１１６ｂのいずれが実行するための処理であるか判定する。
【０１６８】
すなわち、番組を受信するチューナ部１０２ａおよびチューナ部１０２ｂを、それぞれ、制御部１１６ａおよび制御部１１６ｂが制御する。そのため、１つの制御部が２つのチューナ部を制御する関連技術Ａの構成よりも、制御部１１６ａおよび制御部１１６ｂの処理負荷を低減することができる。
【０１６９】
その結果、操作指示（受信キーコード）に関連付けられた関連付け処理が、制御部１１６ａおよび制御部１１６ｂのいずれが実行するための処理であるか判定されても、制御部１１６ａおよび制御部１１６ｂのいずれかは、当該関連付け処理を、迅速に実行することができる。すなわち、本実施の形態に係るテレビジョン受信機１００は、番組を受信する２種類の構成要素（チューナ部）を備える構成において、実行する必要がある処理を迅速に実行することができる。
【０１７０】
また、本実施の形態に係るテレビジョン受信機１００は、視聴関係の処理の実行を担当する制御部１１６ａと、操作指示受信部１４０と、チューナ部１０２ａと、ＴＳデコーダ１０４ａと、ＡＶデコーダ１０６ａと、ＡＶ切替部１０８と、録画再生関係の処理の実行を担当する制御部１１６ｂと、チューナ部１０２ｂとＴＳデコーダ１０４ｂと、ストリーム制御部１２４と、ストリーム蓄積部１２５とを備える。
【０１７１】
制御部１１６ａは、操作指示受信部１４０、チューナ部１０２ａ、ＴＳデコーダ１０４、ＡＶデコーダ１０６ａおよびＡＶ切替部１０８を制御する。制御部１１６ｂは、チューナ部１０２ｂ、ＴＳデコーダ１０４ｂ、ストリーム制御部１２４およびストリーム蓄積部１２５を制御する。制御部１１６ａと、制御部１１６ｂとは、互いに通信可能なように構成される。制御部１１６ａは、操作指示受信部１４０が受信したキーコードに関連付けられた関連付け処理が、キーコード（キー）の種類と制御部１１６ａの動作モードとに基づいて、制御部１１６ａおよび制御部１１６ｂのいずれが実行するための処理であるか判定する。
【０１７２】
したがって、本実施の形態に係るテレビジョン受信機１００は、テレビジョン受信機としての機能と、録画機としての機能を分担して処理することが可能となる。その結果、テレビジョン受信機１００の動作レスポンスを改善し、使用者の使い勝手を向上させることができる。
【０１７３】
また、本実施の形態では、制御部１１６ａは、操作指示（受信キーコード）と制御部１１６ａの動作モードとに基づいて、前述の判定処理Ａを行う。判定処理Ａは、該操作指示に関連付けられた関連付け処理が、制御部１１６ａおよび制御部１１６ｂのいずれが実行するための処理であるか判定する処理である。
【０１７４】
これにより、テレビジョン受信機１００は、テレビジョン受信機としての機能と、録画機としての機能とを分担して処理することが可能となる。その結果、テレビジョン受信機１００の動作レスポンスを改善し、使用者の使い勝手を向上させる効果を奏する。
【０１７５】
また、本実施の形態によれば、制御部１１６ａと制御部１１６ｂとの間で効率的な情報の送受信を行うことにおり、制御部１１６ａ，１１６ｂの各々の役割分担を決定することができる。
【０１７６】
なお、関連技術Ａでは、前述したように、視聴用チューナと録画用チューナといった２種類のチューナを独立に制御する。これにより、使用者は、あるチャンネルの番組を録画用チューナを使用して録画している間も、視聴用チューナを用いて別のチャンネルの番組を視聴できる。そのため、関連技術Ａを有するテレビジョン受信機の使い勝手を向上させることができる。
【０１７７】
しかし、アナログ放送を受信、録画する場合と異なり、デジタル放送を受信、録画する場合は、チューナ部、符号化回路だけでなく、復調回路、ＴＳデコーダの制御、各ＴＳに重畳された各種情報の解析など、多くのソフトウェア処理が必要となる。ここで、ＴＳに重畳されたに各種情報とは、各種テーブル情報、データ放送に関する情報、字幕情報等である。上記のソフトウエア処理の負荷を低減するため、視聴用チューナの処理、および、録画用チューナの処理を、独立した２種類のマイコンで実施することにより、ソフトウェア処理を分散させる手法がある。
【０１７８】
この手法の場合、使用者の操作に対して、視聴用のマイコンと、録画用のマイコンとの間で情報を送受信して、役割分担を決定する必要がある。この構成において、視聴用のマイコンと録画用のマイコンとの間で送受信する情報が増加した場合、各マイコンのソフトウェア処理が増大する。その結果、操作レスポンスを劣化させるという問題が生じる。
【０１７９】
そこで、本実施の形態では、上記のように構成されることにより、上記の問題を解決することができる。
【０１８０】
なお、本実施の形態では、操作指示送信部２００から送信されたキーコードを、制御部１１６ａが受信するよう構成としたがこれに限定されない。例えば、テレビジョン受信機１００は、キーコード（リモコンキー）を受信する、制御部１１６ａ，１１６ｂとは異なる制御部をさらに備えてもよい。また、操作指示送信部２００から送信されたキーコードを、制御部１１６ａより先に制御部１１６ｂが受信する構成としてもよい。
【０１８１】
また、本実施の形態では、操作指示送信部２００から送信されたキーコードに関連付けられた関連付け処理（キーイベント）を制御部１１６ａが行う場合、キーコード情報を制御部１１６ｂへ転送しない構成としたが、これに限定されない。全てのキーコードもしくは一部のキーコードは、必ず制御部１１６ｂに転送するようにしてもよい。
【０１８２】
また、本実施の形態では、前述の判定処理Ａは、操作指示（受信キーコード）と制御部１１６ａの動作モードとに基づいて、制御部１１６ａが行うとしたが、これに限定されない。前述の判定処理Ａは、制御部１１６ｂが行う構成（以下、変形構成Ａともいう）としてもよい。
【０１８３】
この変形構成Ａでは、制御部１１６ｂが操作指示（受信キーコード）を受信する。そして、制御部１１６ｂは、図４で説明した制御部１１６ａと同様に、操作指示（受信キーコード）と制御部１１６ｂの動作モードとに基づいて、判定処理Ａを行う。前述したように、判定処理Ａは、該操作指示に関連付けられた関連付け処理が、制御部１１６ａおよび制御部１１６ｂのいずれが実行するための処理であるか判定する処理である。
【０１８４】
また、変形構成Ａでは、制御部１１６ｂは、操作指示（受信キーコード）に関連付けられた関連付け処理が、制御部１１６ｂが実行するための処理である場合、当該関連付け処理を実行する。
【０１８５】
また、変形構成Ａでは、操作指示（受信キーコード）に関連付けられた関連付け処理が、制御部１１６ａが実行するための処理である場合、制御部１１６ｂは、操作指示（受信キーコード）を制御部１１６ａへ送信する。制御部１１６ａは、操作指示の受信に応じて、操作指示（受信キーコード）に関連付けられた関連付け処理を実行する。
【０１８６】
また、本実施の形態では、制御部１１６ａと制御部１１６ｂとを独立して設け、両者の間で通信を行う構成としたが、これに限定されない。例えば、テレビジョン受信機１００に設けられるマイコンの数を１とし、視聴用プロセスと録画再生用プロセスを設け、両者をプロセス間通信で接続するように構成してもよい。
【０１８７】
また、各キーコードに関連付けられた関連付け処理（キーイベント）は１種類としたが、動作モード遷移中やエラー処理中などの状況において、処理対象のキーイベントを変更する構成としてもよい。
【０１８８】
また、本実施の形態では、制御部１１６ａの動作モードに基づいて、キーコードに関連付けられた関連付け処理（キーイベント）を行う制御部を判定する構成としたが、これに限定されない。制御部１１６ｂの動作モード、もしくは、制御部１１６ａ，１１６ｂの両方の動作モードに依存して、キーコードに関連付けられた関連付け処理（キーイベント）を行う制御部を判定する構成としてもよい。
【０１８９】
また、本実施の形態では、１個のキーイベントを１つの制御部が行うようにしたが、これに限定されない。制御部１１６ａ，１１６ｂ両方で処理するキーイベントを設けてもよい。すなわち、あるキーコードには、制御部１１６ａ，１１６ｂの両方が実行するための処理を関連付けてもよい。すなわち、各キーコードには、制御部１１６ａが実行するための処理、制御部１１６ｂが実行するための処理、制御部１１６ａ，１１６ｂの両方が実行するための処理のいずれかが関連付けられる構成（以下、変形構成Ｂともいう）としてもよい。
【０１９０】
この変形構成Ｂでは、図４の処理において、制御部１１６ａが、操作指示（受信キーコード）に関連付けられた関連付け処理が、制御部１１６ａおよび制御部１１６ｂのいずれが実行するための処理、または、制御部１１６ａおよび制御部１１６ｂの両方が実行するための処理であるか判定する。
【０１９１】
また、変形構成Ｂでは、関連付け処理が、制御部１１６ａおよび制御部１１６ｂの両方が実行するための処理であると判定された場合、制御部１１６ａおよび制御部１１６ｂが、当該関連付け処理を実行する。ここで、関連付け処理は、複数の処理から構成されるとする。この場合、変形構成Ｂでは、制御部１１６ａおよび制御部１１６ｂの各々が、関連付け処理を構成する複数の処理のうち、互いに異なる処理を実行する。すなわち、変形構成Ｂでは、関連付け処理が、制御部１１６ａおよび制御部１１６ｂの両方が実行するための処理であると判定された場合、当該関連付け処理は、制御部１１６ａおよび制御部１１６ｂにより、分散して実行される。
【０１９２】
以上の変形構成Ｂにより、関連付け処理が、制御部１１６ａおよび制御部１１６ｂのいずれが実行するための処理、または、制御部１１６ａおよび制御部１１６ｂの両方が実行するための処理であるか判定されても、制御部１１６ａおよび制御部１１６ｂの少なくとも一方は、当該関連付け処理を、迅速に実行することができる。すなわち、変形構成Ｂにおいても、番組を受信する２種類の構成要素（チューナ部）を備える構成において、実行する必要がある処理を迅速に実行することができる。
【０１９３】
また、本実施の形態では、テレビジョン受信機１００が内蔵する録画のために使用されるチューナ部（受信部）の数を１としたがこれに限定されない。例えば、ダブルチューナ等のように、テレビジョン受信機１００が内蔵する録画のために使用されるチューナ部の数は２以上であってもよい。
【０１９４】
また、本実施の形態では、番組を録画（蓄積）する構成を、ＨＤＤなどの磁気記録メディア、ＤＶＤなどの光ディスクメディアなどといった、複数の記録媒体を組み合わせて録画する構成としてもよい。
【０１９５】
また、本実施の形態では、チューナ部１０２ｂは、チューナ部１０２ａと同じ放送チャンネルを選局する構成としたが、これに限定されない。例えば、予約録画実行中などのように、チューナ部１０２ｂがチューナ部１０２ａと同じ放送チャンネルを選局出来ない場合、使用者の録画操作を禁止する。そして、予約録画が終了した後に、チューナ部１０２ｂは、チューナ部１０２ａと同じ放送チャンネルを選局し、録画操作を有効とする構成としてもよい。
【０１９６】
また、本実施の形態では、操作指示送信部２００として、複数のキーが設けられたリモコンを例として使用し、各キーを押下することで、テレビジョン受信機１００に対して操作指示（キーコード）を送信するものとしたが、それに限定されない。例えば、無線マウス等を使用して、テレビジョン受信機１００の画面上に表示された仮想キーを選択するようにしてもよいし、音声入力システム等を用いて、使用者がキーを使用せずに操作指示を送信するようにしてもよい。
【０１９７】
（その他の変形例）
以上、本発明に係るテレビジョン受信機について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１９８】
また、テレビジョン受信機１００は、図１に示される全ての構成要素を含まなくてもよい。すなわち、テレビジョン受信機１００は、本発明の効果を実現できる最小限の構成要素のみを含めばよい。例えば、テレビジョン受信機１００は、通信インターフェイス１３６ａ，１３６ｂを備えず、制御部１１６ａと制御部１１６ｂとは、バス等により、直接通信可能なように構成されてもよい。
【０１９９】
また、本発明は、テレビジョン受信機１００が備える特徴的な構成部の動作をステップとする処理判定方法として実現してもよい。また、本発明は、当該処理判定方法に含まれる各ステップをコンピュータが実行してもよい。また、本発明は、そのような処理判定方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２００】
上記実施の形態で用いた全ての数値は、本発明を具体的に説明するための一例の数値である。すなわち、本発明は、上記実施の形態で用いた各数値に制限されない。
【０２０１】
また、本発明に係る処理判定方法は、図４のフローチャートの一部または全てに相当する。本発明に係る処理判定方法は、図４における、対応する全てのステップを必ずしも含む必要はない。すなわち、本発明に係る処理判定方法は、本発明の効果を実現できる最小限のステップのみを含めばよい。
【０２０２】
また、処理判定方法における各ステップの実行される順序は、本発明を具体的に説明するための一例であり、上記以外の順序であってもよい。また、処理判定方法におけるステップの一部と、他のステップとは、互いに独立して並列に実行されてもよい。
【０２０３】
なお、本発明は、その発明の範囲内において、実施の形態を適宜、変形、省略することが可能である。
【産業上の利用可能性】
【０２０４】
本発明は、番組を受信してディスプレイに表示するだけでなく、番組を記録媒体に記録し再生する、ＨＤＤを内蔵したデジタル放送テレビジョン受信機等に適用することができる。
【符号の説明】
【０２０５】
１００  テレビジョン受信機、１０２ａ，１０２ｂ  チューナ部、１１４  表示部、１１５  音声出力部、１１６ａ，１１６ｂ  制御部、１４０  操作指示受信部、１５０  録画再生部、２００  操作指示送信部。
【図１】
2014204219.tif 000003
【図２】
2014204219.tif 000004
【図３】
2014204219.tif 000005
【図４】
2014204219.tif 000006
【図５】
2014204219.tif 000007